【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
調整可能な吸気流抵抗を有する少なくとも１つの吸気路と、
調整可能な呼気流抵抗を有する少なくとも１つの呼気路と
を流体的に接続するマウスピースであって、前記調整可能な吸気流抵抗、及び前記調整可能な呼気流抵抗が、別個のもので、互いに独立して動作するように構成されている、マウスピースと、
前記マウスピース内の空気圧を測定するための少なくとも１つの圧力センサと、
空気圧データを収集／格納、及び／または送信するための処理ユニットと
を備えた電子センサユニットであって、前記少なくとも１つの圧力センサが、前記マウスピースと前記吸気路と前記呼気路とによって画定される空気圧通路の外部に配置されている、電子センサユニットと
を備えた呼吸ユニット
を含む、対象者の呼吸の運動及び分析のための呼吸システム。
【請求項２】
前記電子センサユニットが、空気圧データをリアルタイムで連続的に送信するためのワイヤレス送信機をさらに備える、先行請求項のいずれか１項に記載の呼吸システム。
【請求項３】
遠隔装置上で実行可能なソフトウェアアプリケーションをさらに含み、
前記遠隔装置上の受信機を介して前記空気圧データを連続的に受信するステップと、
吸気圧力、吸気流量、呼気圧力、呼気流量、並びに吸気呼吸気道容積、呼気呼吸気道容積、吸気呼吸筋力、呼気呼吸筋力、吸気呼吸筋爆発力、及び呼気呼吸筋爆発力のうち１つ以上を表すリアルタイム呼吸データを提供するために前記遠隔装置によって前記空気圧データを処理するステップと、
前記遠隔装置の画面上に前記リアルタイム呼吸データの少なくとも一部を表示するステップと、
前記リアルタイム呼吸データを、予め定められた個人的呼吸ルーチンの記憶された呼吸データと比較するステップと、
を実行するように構成されている、先行請求項のいずれか１項に記載の呼吸システム。
【請求項４】
前記ソフトウェアアプリケーションが、
ｉ．吸気リアルタイム呼吸データと吸気格納呼吸データとの差が第１の予め設定された閾値を越えている場合、前記吸気流抵抗を調整すること、またはユーザに前記吸気流抵抗を調整するガイダンスを提供するステップと、及び／または
ｉｉ．呼気リアルタイム呼吸データと呼気格納呼吸データとの差が第２の予め設定された閾値を越えている場合、前記呼気流抵抗を調整すること、またはユーザに前記呼気流抵抗を調整するガイダンスを提供するステップと、
を実行するようにさらに構成されている、先行請求項のいずれか１項に記載の呼吸システム。
【請求項５】
前記調整可能な吸気流抵抗、及び前記調整可能な呼気流抵抗が、調整可能な空気流抵抗設定用回転式ボタンである、先行請求項のいずれか１項に記載の呼吸システム。
【請求項６】
前記少なくとも１つの圧力センサが、吸気圧力及び呼気圧力を測定するために配置されている、先行請求項のいずれか１項に記載の呼吸システム。
【請求項７】
前記電子センサユニットが、前記呼吸ユニットから脱着可能である、先行請求項のいずれか１項に記載の呼吸システム。
【請求項８】
前記少なくとも１つの空気圧を測定するための圧力センサが、前記脱着可能な電子センサユニットに一体化されている、請求項７に記載の呼吸システム。
【請求項９】
前記脱着可能な電子センサユニットが、２つの空気抵抗設定検出装置をさらに含む、請求項７〜８のいずれか１項に記載の呼吸システム。
【請求項１０】
一方の抵抗設定検出装置が、前記調整可能な吸気流抵抗と関連付けられており、他方の抵抗設定検出装置が、前記調整可能な呼気流抵抗と関連付けられている、請求項９に記載の呼吸システム。
【請求項１１】
前記脱着可能な電子センサユニットが、タイムカウンタをさらに含む、請求項７〜１０のいずれか１項に記載の呼吸システム。
【請求項１２】
前記電子センサユニットが、前記呼吸ユニットのハウジングに脱着可能に取り付けられている、請求項７〜１１のいずれか１項に記載の呼吸システム。
【請求項１３】
前記呼吸ユニットと前記電子センサユニットとの間の連結接続が気密性である、請求項７〜１２のいずれか１項に記載の呼吸システム。
【請求項１４】
前記電子センサユニットが、前記呼吸ユニットのすべての電子部品を収容するカセットである、請求項７〜１３のいずれか１項に記載の呼吸システム。
【請求項１５】
前記呼吸ユニットが圧力空気路をさらに含み、前記圧力空気路が、前記呼吸ユニットの内部容積を前記少なくとも１つの圧力センサと接続するように構成されている、請求項７〜１４のいずれか１項に記載の呼吸システム。
【請求項１６】
前記呼吸ユニットが圧力空気路をさらに含み、前記空気圧センサが前記電子センサユニット内に配置されて前記空気圧通路内の相対的空気圧を測定するように構成されている、請求項７〜１４のいずれか１項に記載の呼吸システム。
【請求項１７】
前記脱着可能な電子センサユニットが、前記呼吸ユニットのメインユニットにスナップ嵌合する手段を含む、請求項７〜１６のいずれか１項に記載の呼吸システム。
【請求項１８】
前記脱着可能な電子センサユニットが、雄部品などのスナップ接続の一方の部品を含み、前記メインユニットが、雌部品などのスナップ接続の他方の部品を含む、請求項１７に記載の呼吸システム。
【請求項１９】
前記脱着可能な電子センサユニットが、前記ユニットを前記メインユニットに装着するための装着クリップを含む、請求項７〜１８のいずれか１項に記載の呼吸システム。
【請求項２０】
前記呼吸ユニットが、前記電子センサユニットが脱着され、前記呼吸ユニットから取り除かれた構成で、水中で洗浄可能である、請求項７〜１９のいずれか１項に記載の呼吸システム。
【請求項２１】
前記呼吸ユニットが、前記調整可能な吸気流抵抗及び調整可能な呼気流抵抗の位置を読み取るためのセンサを含む、先行請求項のいずれか１項に記載の呼吸システム。
【請求項２２】
前記センサが磁気センサであり、前記調整可能な吸気流抵抗及び調整可能な呼気流抵抗が磁石と共に提供されている、請求項２１に記載の呼吸システム。
【請求項２３】
前記磁気センサが、前記流動抵抗設定用回転式ボタンの円周の外側に設けられており、それによって前記回転式ボタン上の磁石の位置を表示する、請求項２２に記載の呼吸システム。
【請求項２４】
前記センサが、前記回転式ボタンの回転位置を判定するために配置されている、請求項２２〜２３のいずれか１項に記載の呼吸システム。
【請求項２５】
前記圧力センサが、圧力計である、先行請求項のいずれか１項に記載の呼吸システム。
【手続補正２】
【補正対象書類名】明細書
【補正対象項目名】００１６
【補正方法】変更
【補正の内容】
【００１６】
本開示のさらなる態様は、呼吸ユニットから脱着可能な電子センサユニットに関する。既知の装置が有する問題は、装置が電子機器を含むことから、例えば水浴中でそれらを効率的に洗浄することができないことである。電子部品が脱着可能な電子センサユニット内に配置されるような装置を設計することによって、呼吸ユニットは取り外されることができ、呼吸ユニットの残りの部分、すなわちハウジング、マウスピース、空気路などが、電子部品を損傷するリスクを伴わずに別々に洗浄されることができる。電子センサユニットは、呼吸ユニットのすべての電子部品を収容するカセットであってもよい。
本発明は、例えば、以下を提供する。
（項目１）
調整可能な吸気流抵抗を有する少なくとも１つの吸気路、及び
調整可能な吸気流抵抗を有する少なくとも１つの呼気路に接続されたマウスピースであって、
前記調整可能な吸気流抵抗、及び前記調整可能な呼気流抵抗が、別個のもので、互いに独立して動作するように構成されている前記マウスピースと、
前記マウスピース内の空気圧を測定するための少なくとも１つの圧力計、及び
空気圧データを収集／格納、及び／または送信するための処理ユニットを備えた電子センサユニットと、
を備えた呼吸ユニットを含む、対象者の呼吸の運動及び分析のための呼吸システム。
（項目２）
前記電子センサユニットが、空気圧データをリアルタイムで連続的に送信するためのワイヤレス送信機をさらに備える、先行項目のいずれか１項に記載の呼吸システム。
（項目３）
遠隔装置上で実行可能なソフトウェアアプリケーションをさらに含み、
前記遠隔装置上の受信機を介して前記空気圧データを連続的に受信するステップと、
吸気圧力、吸気流量、呼気圧力、呼気流量、並びに吸気呼吸気道容積、呼気呼吸気道容積、吸気呼吸筋力、呼気呼吸筋力、吸気呼吸筋爆発力、及び呼気呼吸筋爆発力のうち１つ以上を表すリアルタイム呼吸データを提供するために前記遠隔装置によって前記空気圧データを処理するステップと、
前記遠隔装置の画面上に前記リアルタイム呼吸データの少なくとも一部を表示するステップと、
前記リアルタイム呼吸データを、予め定められた個人的呼吸ルーチンの記憶された呼吸データと比較するステップと、
を実行するように構成されている、先行項目のいずれか１項に記載の呼吸システム。
（項目４）
前記ソフトウェアアプリケーションが、
ｉ．吸気リアルタイム呼吸データと吸気格納呼吸データとの差が第１の予め設定された閾値を越えている場合、前記吸気流抵抗を調整すること、またはユーザに前記吸気流抵抗を調整するガイダンスを提供するステップと、及び／または
ｉｉ．呼気リアルタイム呼吸データと呼気格納呼吸データとの差が第２の予め設定された閾値を越えている場合、前記呼気流抵抗を調整すること、またはユーザに前記呼気流抵抗を調整するガイダンスを提供するステップと、
を実行するようにさらに構成されている、先行項目のいずれか１項に記載の呼吸システム。
（項目５）
前記調整可能な吸気流抵抗、及び前記調整可能な呼気流抵抗が、調整可能な空気流抵抗設定用回転式ボタンである、先行項目のいずれか１項に記載の呼吸システム。
（項目６）
前記少なくとも１つの圧力計が、吸気圧力及び呼気圧力を測定するために配置されている、先行項目のいずれか１項に記載の呼吸システム。
（項目７）
前記電子センサユニットが、前記呼吸ユニットから脱着可能である、先行項目のいずれか１項に記載の呼吸システム。
（項目８）
前記少なくとも１つの空気圧を測定するための圧力計が、前記脱着可能な電子センサユニットに一体化されている、項目７に記載の呼吸システム。
（項目９）
前記脱着可能な電子センサユニットが、２つの空気抵抗設定検出装置をさらに含む、項目７〜８のいずれか１項に記載の呼吸システム。
（項目１０）
一方の抵抗設定検出装置が、前記調整可能な吸気流抵抗と関連付けられており、他方の抵抗設定検出装置が、前記調整可能な呼気流抵抗と関連付けられている、項目９に記載の呼吸システム。
（項目１１）
前記脱着可能な電子センサユニットが、タイムカウンタをさらに含む、項目７〜１０のいずれか１項に記載の呼吸システム。
（項目１２）
前記電子センサユニットが、前記呼吸ユニットのハウジングに脱着可能に取り付けられている、項目７〜１１のいずれか１項に記載の呼吸システム。
（項目１３）
前記呼吸ユニットと前記電子センサユニットとの間の連結接続が気密性である、項目７〜１２のいずれか１項に記載の呼吸システム。
（項目１４）
前記電子センサユニットが、前記呼吸ユニットのすべての電子部品を収容するカセットである、項目７〜１３のいずれか１項に記載の呼吸システム。
（項目１５）
前記呼吸ユニットが圧力空気路をさらに含み、前記圧力空気路が、前記呼吸ユニットの内部容積を前記少なくとも１つの圧力計と接続するように構成されている、項目７〜１４のいずれか１項に記載の呼吸システム。
（項目１６）
前記呼吸ユニットが圧力空気路をさらに含み、前記空気圧計が前記電子センサユニット内に配置されて前記相対空気圧通路内の相対的空気圧を測定するように構成されている、項目７〜１４のいずれか１項に記載の呼吸システム。
（項目１７）
前記脱着可能な電子センサユニットが、前記呼吸ユニットのメインユニットにスナップ嵌合する手段を含む、項目７〜１６のいずれか１項に記載の呼吸システム。
（項目１８）
前記脱着可能な電子センサユニットが、雄部品などのステップ接続の一方の部品を含み、前記メインユニットが、雌部品などのスナップ接続の他方の部品を含む、項目１７に記載の呼吸システム。
（項目１９）
前記脱着可能な電子センサユニットが、前記ユニットを前記メインユニットに装着するための装着クリップを含む、項目７〜１８のいずれか１項に記載の呼吸システム。
（項目２０）
前記呼吸ユニットが、前記電子センサユニットが脱着され、前記呼吸ユニットから取り除かれた構成で、水中で洗浄可能である、項目７〜１９のいずれか１項に記載の呼吸システム。
（項目２１）
前記呼吸ユニットが、前記調整可能な吸気流抵抗及び調整可能な呼気流抵抗の位置を読み取るためのセンサを含む、先行項目のいずれか１項に記載の呼吸システム。
（項目２２）
前記センサが磁気センサであり、前記調整可能な吸気流抵抗及び調整可能な呼気流抵抗が磁石と共に提供されている、項目２１に記載の呼吸システム。
（項目２３）
前記磁気センサが、前記流動抵抗設定用回転式ボタンの円周の外側に設けられており、それによって前記回転式ボタン上の磁石の位置を表示する、項目２２に記載の呼吸システム。
（項目２４）
前記センサが、前記回転式ボタンの回転位置を判定するために配置されている、項目２２〜２３のいずれか１項に記載の呼吸システム。